(57)【要約】 【課題】  開閉扉を開けた状態で鏡の使用が可能で、しかも鏡の向きを利用者の好みの位置に揺動保持できる鏡付き開閉扉を有する収納ボックスを提供すること。【解決手段】  収納ボックス本体４の前面に鏡体Ｍを保持した開閉扉６ａが前後方向に揺動できるように支持され、この鏡体Ｍは、枠体８の上端にこの枠体８に対し前後方向に揺動自在で、且つ任意の揺動位置で保持されるように構成されているので、開閉扉６ａを開けて収納ボックス４内の物を自由に取り出せるようにした状態で、鏡体Ｍを利用者の使いやすい位置に揺動保持することができ、物を取り出すたびに開閉扉６ａを開閉しないでも済む。【選択図】  図４
2005192839.tif 000002
【特許請求の範囲】
【請求項１】
前面に鏡付き開閉扉を有する収納ボックスであって、前記開閉扉は前後方向に揺動できるように収納ボックス本体に支持され、前記鏡は開閉扉に対し前後方向に揺動自在で、かつ任意の揺動位置で保持されることを特徴とする鏡付き開閉扉を有する収納ボックス。
【請求項２】
前記開閉扉は少なくとも一部が開口した枠体で構成されている請求項１に記載の鏡付き開閉扉を有する収納ボックス。
【請求項３】
前記開口部に鏡が揺動保持される請求項２に記載の鏡付き開閉扉を有する収納ボックス。
【請求項４】
前記開閉扉は収納ボックス本体に対しダンパー手段を介して取り付けられている請求項１ないし３のいずれかに記載の鏡付き開閉扉を有する収納ボックス。
【発明の詳細な説明】
【技術分野】
【０００１】
本発明は、洗面化粧台等に設けたミラーキャビネットに関し、特に、収納ボックスの前面に取り付けられた鏡付き開閉扉を有する収納ボックスに関する。
【背景技術】
【０００２】
従来の鏡付き開閉扉を有する収納ボックスは、収納ボックス前面に取り付けた開閉扉の前面に鏡が設けられており、開閉扉は収納ボックス本体に対し左右方向に開閉できるように蝶番で支持されている。従って扉の閉鎖状態では、開閉扉は収納ボックスの閉鎖蓋として機能するだけでなく鏡として利用でき便利であった（特許文献１参照）。
【０００３】
【特許文献１】特開２００３−９３１７３号公報（段落０００９、第３図）
【発明の開示】
【発明が解決しようとする課題】
【０００４】
しかしながら、従来のこのような鏡付き開閉扉を有する収納ボックスは、収納ボックス内の物を取り出すときは、開閉扉とともに鏡が移動してしまうために、鏡を使いながら化粧品等を取り出したい場合にはその度に開閉扉を開け閉めしなければならなかった。
【０００５】
本発明は、このような問題点に着目してなされたもので、開閉扉を開けた状態で鏡の使用が可能で、しかも鏡の向きを利用者の好みの位置に揺動保持できる鏡付き開閉扉を有する収納ボックスを提供することを目的とする。
【課題を解決するための手段】
【０００６】
上記の目的を解決するために、本発明の請求項１に記載の鏡付き開閉扉を有する収納ボックスは、収納ボックスの前面に取り付けられた鏡付き開閉扉を有する収納ボックスであって、前記開閉扉は前後方向に揺動できるように収納ボックス本体に支持され、前記鏡は開閉扉に対し前後方向に揺動自在で、かつ任意の揺動位置で保持されることを特徴としている。
この特徴によれば、開閉扉を開けて収納ボックス内の物を自由に取り出せるようにした状態で、鏡を利用者の使いやすい位置に揺動保持することができるので、物を取り出すたびに開閉扉を開け閉めしないで済む。
【０００７】
本発明の請求項２に記載の鏡付き開閉扉を有する収納ボックスは、請求項１に記載の鏡付き開閉扉を有する収納ボックスであって、前記開閉扉は少なくとも一部が開口した枠体で構成されていることを特徴としている。
この特徴によれば、開閉扉の一部が開口しているので、例えば収納ボックスが洗面台上の化粧キャビネットである場合、収納ボックス側からの照明ランプ等の光が枠体の開口を通して分散されるので、手暗がりにならず利用しやすい。
【０００８】
本発明の請求項３に記載の鏡付き開閉扉を有する収納ボックスは、請求項２に記載の鏡付き開閉扉を有する収納ボックスであって、前記開口部に鏡が揺動保持されることを特徴としている。
この特徴によれば、鏡が開口部のところに部分的に設けられているので、鏡の重量負荷が軽減し、鏡を揺動、保持する機構をコンパクトに構成できる。
【０００９】
本発明の請求項４に記載の鏡付き開閉扉を有する収納ボックスは、請求項１ないし３のいずれかに記載の鏡付き開閉扉を有する収納ボックスであって、前記開閉扉は収納ボックス本体に対しダンパー手段を介して取り付けられていることを特徴としている。
この特徴によれば、開閉扉はダンパー手段により開閉制御されるので、振動や騒音の少ない静かな開閉動作がおこなれる。
【発明を実施するための最良の形態】
【００１０】
本発明の実施例を以下に説明する。
【実施例１】
【００１１】
本発明の実施例１を図面に基づいて説明すると、先ず図1（ａ）は本発明の実施例１における鏡付き開閉扉を有する収納ボックスの正面図、（ｂ）は一部断面を示す鏡付き開閉扉を有する収納ボックスの側面図、図２（ａ）〜（ｃ）は鏡付き開閉扉の開閉状態を示す部分側面断面図、図３は洗面化粧台に設けた開閉扉を有する収納ボックスの斜視図、図４は開閉扉を有する収納ボックスの下段に配設された鏡付き開閉扉を開放した状態を示す斜視図であり、図５は開放された開閉扉から鏡を揺動した状態を示す斜視図である。
【００１２】
先ず図1には、本発明の実施例１としての洗面化粧台に設けた収納ボックス１が示されており、この収納ボックスは上端に照明ランプＬが設けられているとともに、この収納ボックス１は、複数の収納凹部Ｈ１を有する収納ボックス本体４の前面上部に開閉可能に並設された３枚の分割された鏡付き開閉扉（以下開閉扉と称する）２ａ，２ｂ，２ｃから成るフロントミラー２を有すると共に、複数の収納凹部Ｈ２を有する収納ボックス本体４の前面下部にも３枚の分割された鏡付き開閉扉（以下開閉扉と称する）６ａ，６ｂ，６ｃから成るサブミラー６が開閉可能に支持されている。
【００１３】
詳しくは、収納ボックス本体４は、合成樹脂等で一体成形されたものでその前面上部には、３枚の開閉扉２ａ，２ｂ，２ｃの大きさにそれぞれ対応するように複数の収納凹部Ｈ１が横方向に連設されると共に、前面下部にも３枚の開閉扉６ａ，６ｂ，６ｃの大きさにそれぞれに対応するように複数の収納凹部Ｈ２が横方向に連設されている。
【００１４】
本発明の開閉扉６ａは、収納ボックス本体４の前面下部におけるサブミラー６の中央に配設されており、この開閉扉６ａは、図１（ｂ）に示すように、収納ボックス本体４の下部に形成される収納凹部Ｈ２の前面下端縁の左右に配置されたブラケット１０に下端縁を支軸として前後方向に揺動可能に支持された枠体８と、この枠体８上端縁を支軸として前後方向に揺動可能に支持された横長矩形状の鏡体Ｍとから構成されている。
【００１５】
この枠体８は横長矩形状の枠体であって、中央部に開口８ａ（図４，図５）が形成されており、その下端を支持するブラケット１０の支持部Ｂ１には高摩擦係数を有する材質（例えばゴム部材）の軸受け部材が使用され、枠体８の上端で鏡体Ｍの上端を支持するブラケット１２の支持部Ｂ２にも同様に高摩擦係数を有する材質の軸受け部材が使用されている。枠体８ならびに鏡体Ｍは、高摩擦の軸受け部材によりそれぞれ支持部Ｂ１およびＢ２を中心として揺動角度が任意の角度に保持できるようになっている。
【００１６】
ここで、開閉扉６ａの鏡体Ｍは、図２（ａ）に示すように開閉扉６ａが閉じた状態から枠体８上端の支持部Ｂ２の軸受け部材を中心として揺動角度θ１が最大で１１０°程度まで前方に大きく揺動することができるように構成されており、鏡体Ｍを開放するだけで収納凹部Ｈ２内に収納されている品物を枠体８の開口８ａを通して取り出すことができる。
【００１７】
また、開閉扉６ａは、図４に示すように枠体８と収納凹部Ｈ２との間が一対の枢支されたリンク１６により連結されており、図２（ｂ）に示すように支持部Ｂ１の軸受け部材を中心として揺動角度θ２を例えば３０°程度に制限している。これにより、開閉扉６ａに設けた収容ボックス１４内の物品が落下しないようになっている。
【００１８】
更に、開閉扉６ａの鏡体Ｍは、図２（ｃ）に示すように枠体８を最大３０°程度開放保持した状態において、揺動角度θを最大１１０°以内の任意の位置まで前方に揺動することができるので、使用者の背丈に合わせての調整も可能である。
【００１９】
次に、開閉扉６ａは、図４および図５に示すように、枠体８と収納凹部Ｈ２との間は例えば周知の油圧ダンパー１８で連結されており、開閉扉６ａの閉止端と開放端において揺動速度を減速することで当接時の衝撃を緩和しており、枠体８両側の支持部Ｂ１近傍には鏡体Ｍに対面する前面にゴムなどの緩衝部材で構成された当接ダンパー１５が取付けられており、鏡体Ｍを閉じた際の衝撃を緩和させている。
【００２０】
加えて、両側の開閉扉６ｂ、６ｃも同様に、収納ボックス本体４に形成される収納凹部に取着された当接ダンパーＤによって閉じた際の衝撃を緩和させている。
【００２１】
このように、開閉扉６ａ及び鏡体Ｍ、ないしその両側に配設される開閉扉６ｂ，６ｃが、油圧ダンパー１８及び当接ダンパー１５又は当接ダンパーＤ等のダンパー手段を介して取り付けられているので、振動や騒音の少ない静かな開閉動作を行うことができる。
【００２２】
そして、開閉扉６ａ上端縁には、収納凹部Ｈ２内に収納可能な収容ボックス１４が係脱可能に係止されており、洗顔、洗髪用の容器などが開閉扉６ａを前方に開放するだけで容
易に取り出せるように構成されている。
【００２３】
更に、各開閉扉６ａ，６ｂ，６ｃは、図４に示すように各収納凹部Ｈ２の上縁に取着されたマグネットキャッチＣにより閉じた状態が保持できるようになっており、このマグネットキャッチＣは各開閉扉６ａ，６ｂ，６ｃを押圧することで開放可能な状態になる構造のものが採用されている。なお、この各開閉扉６ａ，６ｂ，６ｃのロック機構はマグネットキャッチＣに限らず、ラッチ構造のものでも良く周知のロック機構が採用される。
【００２４】
また、開閉扉６ａの両側に配置される開閉扉６ｂ，６ｃも同様に、図示しない下端の支持部における高摩擦係数を有する材質の軸受け部材を中心として前方の水平位置まで揺動可能に支持されており、水平位置に保持した開閉扉６ｂ，６ｃを眼鏡や石鹸またはタオル等の置き台として使用することができる。
【００２５】
このように開閉扉６ａは、前後方向に揺動できるように収納ボックス本体４に支持され、鏡体Ｍは開閉扉６ａに対し前後方向に揺動自在で、かつ任意の揺動位置で保持されるように構成されているので、開閉扉６ａを開けて収納ボックス１内の物を自由に取り出せるようにした状態で、鏡体Ｍを利用者の使いやすい位置に揺動保持することができ、品物を取り出すたびに開閉扉６ａを開け閉めしないで済む。
【００２６】
更に、開閉扉６ａは、中央部に開口８ａを有する枠体８でロ字形に構成されているので、例えば収納ボックス１が、洗面台Ｓ上の化粧キャビネットである場合、収納ボックス１側からの照明ランプＬ等の光が枠体８の開口を通して分散され、手暗がりにならず利用しやすい。このように開閉扉６ａは、中央部に開口８ａを有する枠体で構成してあるが、必ずしも開口を設ける必要はない。開口を設ける場合は少なくとも一部が開口した剛性の有る構造体であればよく、形状についても、ロ字形に限らずコ字形に形成することも可能である。
【実施例２】
【００２７】
次に、実施例２を図６に基づいて説明する。図６は本発明の実施例２に係る鏡付き開閉扉の開閉状態を示す斜視図である。尚、実施例１の構成部分と同一構成部分については同一符号を付してその説明を省略する。
【００２８】
本実施例に係る開閉扉は、前面に配置される鏡体を略中間で上下に２分割されている点で前記実施例１と相違している。すなわち、図６に示す本実施例に係る開閉扉は符号６ａ’で示されており、この開閉扉６ａ’は、収納ボックス本体４の下部に下端縁が揺動可能に支持された枠体２０と、この枠体２０の上半部に固定された上部鏡体Ｍ’と、枠体２０の中間部に上端縁が揺動可能に支持された下部鏡体Ｍ１とから構成されている。
【００２９】
詳しくは、枠体２０は、中央に形成された開口２０ａの上半部が上部鏡体Ｍ’によって閉鎖されると共に、下半部の開口２０ａは開閉可能な下部鏡体Ｍ１によって閉鎖されている。上半部は上部鏡体Ｍ’として構成してあるが、必ずしも鏡として特定されるものでなく、掲示ボードのようなものであってもよい。
【００３０】
枠体２０の中間部両側には、高摩擦係数を有する材質の軸受け部材Ｂ３が取り付けられており、これら軸受け部材Ｂ３に揺動可能に枢支される下部鏡体Ｍ１の前方への開放は、軸受け部材Ｂ３の摩擦力により任意の角度に保持できるようになっている。このように鏡体の半分だけが揺動、保持できる構成となっているので、鏡体の重量負荷が軽減され、鏡体を揺動、保持する機構をコンパクトに構成できる。
【実施例３】
【００３１】
次に、実施例３を図７に基づいて説明する。図７は本発明の実施例３に係る鏡付き開閉扉の開閉状態を示す斜視図である。尚、実施例１、２の構成部分と同一構成部分については同一符号を付してその説明を省略する。
【００３２】
本実施例に係る開閉扉は、略中間で上下に２分割した下部鏡体の一部が下部鏡体に対し揺動保持されるようにしたものである。
【００３３】
すなわち、すなわち、図７に示す本実施例に係る開閉扉は、符号６ａ’’で示されており、この開閉扉６ａ’’は、収納ボックス本体４の下部に下端縁が揺動可能に支持された一部が開口（２０ａ）した枠体２０と、この枠体２０の上半部に固定された上部鏡体Ｍ’と、枠体２０の下半部に固定された下部鏡体Ｍ’１と、下部鏡体Ｍ’１の一部を更に分割して横長矩形状に形成された分割鏡体Ｍ２とから構成されている。
【００３４】
分割鏡体Ｍ２は、枠体２０の中間部に設けた高摩擦係数を有する材質からなる軸受け部材Ｂ４に揺動可能に枢支されている。そして、分割鏡体Ｍ２の閉鎖時には図示しないマグネットキャッチなどで閉鎖状態を保持することができ、この状態における分割鏡体Ｍ２の鏡面は下部鏡体Ｍ’１の鏡面と面一に保持されるようになっている。
【００３５】
従って、本実施例３によれば、下部鏡体Ｍ’１の一部を分割した分割鏡体Ｍ２が軸受け部材Ｂ４を介して揺動可能に枢支されて任意の角度に保持できるように構成されているので、例えば、使用者が化粧しながらでも、軽いタッチで鏡体を上下に移動させることができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００３７】
【図１】（ａ）は本発明の実施例１における鏡付き開閉扉を有する収納ボックスの正面図、（ｂ）は一部断面を示す鏡付き開閉扉を有する収納ボックスの側面図である。
【図２】（ａ）〜（ｃ）は鏡付き開閉扉の開閉状態を示す部分側面断面図である。
【図３】洗面化粧台に設けた開閉扉を有する収納ボックスの斜視図である。
【図４】開閉扉を有する収納ボックスの下段に配設された鏡付き開閉扉を開放した状態を示す斜視図である。
【図５】開放された開閉扉から鏡を揺動した状態を示す斜視図である。
【図６】本発明の実施例２に係る鏡付き開閉扉の開閉状態を示す斜視図である。
【図７】本発明の実施例３に係る鏡付き開閉扉の開閉状態を示す斜視図である。
【符号の説明】
【００３８】
１                      収納ボックス
２                      フロントミラー
２ａ，２ｂ，２ｃ        開閉扉（鏡付き開閉扉）
４                      収納ボックス本体
６                      サブミラー
６ａ，６ｂ，６ｃ        開閉扉（鏡付き開閉扉）
８                      枠体
８ａ                    開口
１０，１２              ブラケット
１４                    収容ボックス
１５                    当接ダンパー
１６                    リンク
１８                    油圧ダンパー（ダンパー手段）
２０                    枠体
２０ａ                  開口
Ｂ１，Ｂ２              支持部
Ｂ３，Ｂ４              軸受け部材
Ｃ                      マグネットキャッチ
Ｄ                      当接ダンパー
Ｈ１，Ｈ２              収納凹部
Ｌ                      照明ランプ
Ｍ                      鏡体
Ｍ’                    上部鏡体
Ｍ１，Ｍ’１            下部鏡体
Ｍ２                    分割鏡体
Ｓ                      洗面台
【図１】
2005192839.tif 000003
【図２】
2005192839.tif 000004
【図３】
2005192839.tif 000005
【図４】
2005192839.tif 000006
【図５】
2005192839.tif 000007
【図６】
2005192839.tif 000008
【図７】
2005192839.tif 000009